【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
反射フレーム（１０）と、放射要素（２０）とを備えた表面実装型アンテナ装置（１００；１００Ａ；１００Ｂ）であって、
上記反射フレーム（１０）は、
内側部分（１６）の側面を形成する環状の側壁（１２）と、
上記側壁（１２）のうちの１つにおける側面口（１４）と、
電磁的な開口として機能する上側の水平口（１１）と、
下側の水平口（１７）と、
上記反射フレーム（１０）の一体的な部分である支持構造（１３；１６．３）と
を有し、
上記放射要素（２０）は、
モード変換領域（２３．１；２３．２）と、実質的に水平方向において上記モード変換領域（２３．１；２３．２）から突出している片持ち梁形状のフィードポイント（２４）とを有する、平面の、水平面指向アンテナ基板（２１）を有し、
上記放射要素（２０）は、上記内側部分（１６）が背側の反射部（１６．１）及び開口部（１６．２）に分けられるように上記内側部分（１６）の内側に上記支持構造（１３；１６．３）によって取り付けられ、
上記フィードポイント（２４）は、能動回路（４０）へ接続されうるように上記内側部分（１６）から上記側面口（１４）を通って延在し、
上記反射フレーム（１０）は、金属からなり、又は少なくとも部分的に金属化されていることを特徴とするアンテナ装置（１００；１００Ａ；１００Ｂ）。
【請求項２】
請求項１に記載のアンテナ装置（１００；１００Ａ；１００Ｂ）において、
上記アンテナ装置（１００；１００Ａ；１００Ｂ）は、
金属面（３１）を有する共通基板（３０）と、
上記能動回路（４０）と、
上記能動回路（４０）と、上記フィードポイント（２４）との間の電気的接続（Ｅ１）と
を備え、
上記放射要素（２０）を内側に持つ上記反射フレーム（１０）は、上記水平の金属面（３１）の上に取り付けられていることを特徴とするアンテナ装置（１００；１００Ａ；１００Ｂ）。
【請求項３】
請求項１又は２に記載のアンテナ装置（１００；１００Ａ；１００Ｂ）において、
上記アンテナ装置（１００；１００Ａ；１００Ｂ）は、アダプタ（５０）への結合を構築するための電磁的インターフェース（ＥＭ２）及び機械的インターフェース（Ｍ２）を備えることを特徴とするアンテナ装置（１００；１００Ａ；１００Ｂ）。
【請求項４】
請求項３に記載のアンテナ装置（１００；１００Ａ；１００Ｂ）において、
上記機械的インターフェース（Ｍ２）は、上記アダプタ（５０）への差し込み式接続を与えることを特徴とするアンテナ装置（１００；１００Ａ；１００Ｂ）。
【請求項５】
請求項３に記載のアンテナ装置（１００；１００Ａ；１００Ｂ）において、
上記アンテナ装置（１００；１００Ａ；１００Ｂ）は、上記アダプタ（５０）との機械的結合のための少なくとも１つの嵌め合い要素（１５）を備えることを特徴とするアンテナ装置（１００；１００Ａ；１００Ｂ）。
【請求項６】
請求項３に記載のアンテナ装置（１００；１００Ａ；１００Ｂ）において、
上記アンテナ装置（１００；１００Ａ；１００Ｂ）は、アダプタ（５０）を備えることを特徴とするアンテナ装置（１００；１００Ａ；１００Ｂ）。
【請求項７】
請求項１から５のいずれか１つに記載のアンテナ装置（１００；１００Ａ；１００Ｂ）において、
上記アンテナ装置（１００；１００Ａ；１００Ｂ）は、平面回路−導波路遷移部の一部であることを特徴とするアンテナ装置（１００；１００Ａ；１００Ｂ）。
【請求項８】
請求項１又は２に記載のアンテナ装置（１００；１００Ａ；１００Ｂ）において、
上記内側部分（１６）に面する上記反射フレーム（１０）の少なくとも上記側壁（１２）は、金属化されていることを特徴とするアンテナ装置（１００；１００Ａ；１００Ｂ）。
【請求項９】
請求項２に記載のアンテナ装置（１００；１００Ａ；１００Ｂ）において、
上記側壁（１２）と上記金属面（３１）との間に、導電接続部が設けられていることを特徴とするアンテナ装置（１００；１００Ａ；１００Ｂ）。
【請求項１０】
請求項１又は２に記載のアンテナ装置（１００；１００Ａ；１００Ｂ）において、
上記上側の水平口（１１）は、上記放射要素（２０）の上記モード変換領域（２３．１；２３．２）によって放出された電磁波の放出のための開口として設計されていることを特徴とするアンテナ装置（１００；１００Ａ；１００Ｂ）。
【請求項１１】
請求項１又は２に記載のアンテナ装置（１００；１００Ａ；１００Ｂ）において、
上記アンテナ基板（２１）と上記金属面（３１）との間の上記内側部分（１６）の一部（１６．１）は、上記電磁波のための背側の反射部（１６．１）として機能するように設計されていることを特徴とするアンテナ装置（１００；１００Ａ；１００Ｂ）。
【請求項１２】
請求項２に記載のアンテナ装置（１００；１００Ａ；１００Ｂ）において、
上記アンテナ基板（２１）は、上記支持構造（１３；１６．３）によって、上記金属面（３１）から或る距離（Ｄ）に浮かされていることを特徴とするアンテナ装置（１００；１００Ａ；１００Ｂ）。
【請求項１３】
請求項１から１２のいずれか１つに記載のアンテナ装置（１００；１００Ａ；１００Ｂ）において、
上記アンテナ基板（２１）は、フレキシブルな、誘電性の材料からなっていることを特徴とするアンテナ装置（１００；１００Ａ；１００Ｂ）。
【請求項１４】
請求項１から１１のいずれか１つに記載のアンテナ装置（１００；１００Ａ；１００Ｂ）において、
高精細液晶高分子のフレックス基板が、上記アンテナ基板（２１）として用いられていることを特徴とするアンテナ装置（１００；１００Ａ；１００Ｂ）。
【請求項１５】
請求項１から１４のいずれか１つに記載のアンテナ装置（１００；１００Ａ；１００Ｂ）において、
上記下側の水平口（１７）及び上記アンテナ基板（２１）は、上記アンテナ基板（２１）が上記下側の水平口（１７）を通って上記内側部分（１６）の中へ挿入されるのを許容する寸法を有していることを特徴とするアンテナ装置（１００；１００Ａ；１００Ｂ）。
【請求項１６】
請求項１から１５のいずれか１つに記載のアンテナ装置（１００；１００Ａ；１００Ｂ）において、
上記モード変換領域（２３．１）は、長方形形状を有し、
少なくとも一つのスロット（７１）を有する導電シート（２６）を備え、このスロット（７１）は好ましくは上記モード変換領域（２３．１）の中央に配置され、上記スロット（７１）の長さは、設計された周波数帯の中央での波長の略半分に等しくなるように選ばれており、
上記フィードポイント（２４）は、
上記モード変換領域の広い方の縁のうちの１つの略中心部で上記モード変換領域（２３．１）に入っているコプレーナ導波路（２７）を備え、上記コプレーナ導波路（２７）は、薄い導電シート（２６）内の２つの平行なスロットによって形成されて、中心導体（２８）と２つの接地導体（２９）とを有することを特徴とするアンテナ装置（１００；１００Ａ；１００Ｂ）。
【請求項１７】
請求項１から１５のいずれか１つに記載のアンテナ装置（１００；１００Ａ；１００Ｂ）において、
上記モード変換領域（２３．２）は、修正されたＥ−プローブ形状をしていることを特徴とするアンテナ装置（１００；１００Ａ；１００Ｂ）。
【請求項１８】
請求項１から５のうちの１つ以上に記載のアンテナ装置（１００；１００Ａ；１００Ｂ）と、少なくとも一つの能動回路（４０）および共通基板（３０）を備え、上記能動回路（４０）および上記アンテナ装置（１００；１００Ａ；１００Ｂ）は上記共通基板（３０）に配置されており、上記能動回路（４０）は上記フィードポイント（２４）のフィード線（２５）を経由して上記モード変換領域（２３．１；２３．２）に接続されていることを特徴とする通信システム（２００）。
【請求項１９】
請求項１８に記載の通信システム（２００）において、
上記フィードポイント（２４）は、上記能動回路（４０）と上記モード変換領域（２３．１；２３．２）との間にフレキシブルな遷移部を与えることを特徴とする通信システム（２００）。
【手続補正２】
【補正対象書類名】明細書
【補正対象項目名】発明の名称
【補正方法】変更
【補正の内容】
【発明の名称】導波路コネクタ機能を有する表面実装型アンテナ装置及び上記アンテナ装置を有する通信システム
【手続補正３】
【補正対象書類名】明細書
【補正対象項目名】０００１
【補正方法】変更
【補正の内容】
【０００１】
本発明は、アンテナ装置及び上記アンテナ装置に基づく通信システムに関する。